(57)【要約】【課題】  着座を検知するためのセンサを設けても異物感が全くなく、しかも、製造が容易であり、かつセンサからのリード線が屈曲され、更には、パッドの底面に露出することが防止される着座センサ付き座席を提供する。【解決手段】  パッド１の底面から凹部５Ａが上方に向って設けられ、この凹部５Ａ内にセンサ２が設けられている。凹部５Ａを塞ぐようにスラブ６Ａが該凹部５Ａ内に充填されている。この凹部５Ａは、パッド１の全幅にわたって延在しており、パッド１の左右両側面に臨んでいる。このセンサ２に連なるリード線２ａは、凹部５Ａの天井面とスラブ６Ａの上面との間を引き回されて、パッド１の側面にまで引き回されている。リード線２ａはパッド１の底面に露出していない。【選択図】  図１
2005059646.tif 000002
【特許請求の範囲】
【請求項１】
軟質なパッドと、該パッドに座った人体を検知するための感圧式のシート状センサとを有する着座センサ付き座席であって、
該パッドの底面から上方に向って凹部が設けられると共に、該凹部に軟質体が挿入されており、該軟質体の上面部分に該センサが設置されている着座センサ付き座席において、
該凹部は該座席の左側面から右側面にまで延設されており、該センサからのリード線が該凹部の内面と該軟質体との間を該側面にまで引き回されていることを特徴とする着座センサ付き座席。
【請求項２】
請求項１において、該リード線の先端にコネクタ端子が設けられており、該コネクタ端子が該パッドの側面に配置されていることを特徴とする着座センサ付き座席。
【請求項３】
軟質なパッドと、該パッドに座った人体を検知するための感圧式のシート状センサとを有する着座センサ付き座席であって、
該パッドの底面から上方に向って凹部が設けられると共に、該凹部に軟質体が挿入されており、該軟質体の上面部分に該センサが設置されている着座センサ付き座席において、
該凹部は該座席の後面にまで延設されており、該センサからのリード線が該凹部の内面と該軟質体との間を該後面にまで引き回されていることを特徴とする着座センサ付き座席。
【請求項４】
請求項３において、該リード線の先端にコネクタ端子が設けられており、該コネクタ端子が該パッドの後面に配置されていることを特徴とする着座センサ付き座席。
【請求項５】
請求項１ないし４のいずれか１項にいおいて、前記リード線が外部に非露出となっていることを特徴とする着座センサ付き座席。
【請求項６】
請求項１ないし５のいずれか１項にいおいて、前記凹部は下端が狭くなっており、これによって前記軟質体が該凹部内に保持されていることを特徴とする着座センサ付き座席。
【発明の詳細な説明】
【技術分野】
【０００１】
本発明は、人員が座ったことを検知するシート状のセンサを備えた座席に関するものである。
【背景技術】
【０００２】
アシスタント用エアバッグの誤動作防止等のために座席の上面にセンサを設けることがあるが、該センサを覆うようにスラブを貼り付けたりフレームラミネートを施す必要があり、貼り工数が多い、あるいはラミネートコストが嵩むなどの短所があった。
【０００３】
特開平１１−３４７１０号公報には、図３に示す通り、パッド１の底面から上方に向って凹部５が設けられると共に、該凹部５にスラブ６が挿入されており、該スラブ６の上面部分にセンサ２が設置された着座センサ付き座席が記載されている。
【０００４】
なお、図３（ａ）は着座センサ付き座席の座席の前後方向に沿う断面図、図３（ｂ）は図３（ａ）のＢ−Ｂ線に沿う断面図、図３（ｃ）は該座席の底面図である。
【０００５】
かかる着座センサ付き座席にあっては、センサがパッドの内部に配置されているため、センサによる異物感が殆ど無く、しかもセンサを覆うためのスラブ貼り付けやラミネートが不要であり、製造が容易で製造コストも廉価となる。
【特許文献１】特開平１１−３４７１０号公報
【発明の開示】
【発明が解決しようとする課題】
【０００６】
特開平１１−３４７１０号公報の着座センサ付き座席は、凹部５がパッド１の底面（下面）の中央に設けられている。このため、センサ２に連なるリード線２ａは、凹部５の内壁面とスラブ６との間を引き回されてパッド１の底面の中央付近から引き出され、さらにパッド１の底面に沿ってパッド１の後面まで引き回される。このリード線２ａの後端のコネクタ端子２ｂが、図示しないセンサ２の制御回路に連なる別のリード線の端子に接続される。
【０００７】
このパッド１の底面でリード線２ａが露出して遊んでいるため、座席の取り付け等の作業においてリード線２ａが邪魔になっていた。また、リード線２ａは、スラブ６の上部後縁や凹部５の後部角縁で屈曲される為、断線の恐れもある。
【０００８】
本発明は、かかる短所を改善し、製造が容易でしかもセンサ用のリード線が座席の底面に露出しないように構成することも可能な着座センサ付き座席を提供することを目的とする。
【課題を解決するための手段】
【０００９】
本発明（請求項１）の着座センサ付き座席は、軟質なパッドと、該パッドに座った人体を検知するための感圧式のシート状センサとを有する着座センサ付き座席であって、該パッドの底面から上方に向って凹部が設けられると共に、該凹部に軟質体が挿入されており、該軟質体の上面部分に該センサが設置されている着座センサ付き座席において、該凹部は該座席の左側面から右側面にまで延設されており、該センサからのリード線が該凹部の内面と該軟質体との間を該側面にまで引き回されていることを特徴とするものである。
【００１０】
本発明（請求項３）の着座センサ付き座席は、軟質なパッドと、該パッドに座った人体を検知するための感圧式のシート状センサとを有する着座センサ付き座席であって、該パッドの底面から上方に向って凹部が設けられると共に、該凹部に軟質体が挿入されており、該軟質体の上面部分に該センサが設置されている着座センサ付き座席において、該凹部は該座席の後面にまで延設されており、該センサからのリード線が該凹部の内面と該軟質体との間を該後面にまで引き回されていることを特徴とするものである。
【発明の効果】
【００１１】
かかる本発明の着座センサ付き座席は、リード線がパッド内を通って座席の側面又は後面にまで引き回されており、座席の底面に全く又は殆ど露出することがない。このため、座席の取り付け等の作業においてリード線が邪魔になることが防止される。また、リード線が屈曲することもなく、断線の恐れもなくなる。
【発明を実施するための最良の形態】
【００１２】
以下、図面を参照して本発明の実施の形態について説明する。
【００１３】
図１は本発明の一実施の形態に係る着座センサ付き座席を説明する図面であり、（ａ）図は座席の側面図、（ｂ）図は（ａ）図のＢ−Ｂ線に沿う断面図、（ｃ）図は座席の底面図である。
【００１４】
この実施の形態にあっては、パッド１の底面に、上方に向う凹部５Ａが設けられている。この凹部５Ａは、パッド１の幅方向に左側面から右側面にまで延在しており、この凹部５Ａはパッド１の左右両側面に臨んでいる。この凹部５Ａの天井面部分の中央にセンサ２が設けられている。この凹部５Ａにパッド１と同材質の軟質材料よりなるスラブ（モールドされた軟質ウレタンフォームであっても良い。）６Ａが充填されている。なお、センサ２はこの凹部５Ａの天井面部分に接合されていても良く、スラブ６Ａの上面に接合されていても良い。
【００１５】
この実施の形態にあっては、凹部５Ａの下端側が窄まる形状となっており、この凹部５Ａに挿入されたスラブ６Ａが凹部５Ａ内に保持され、該凹部５Ａから脱落しないよう構成されている。なお、図４，５のように、本体部と嵌合する様に突起やへこみをつけたり、あるいは、図６，７のように凹部の幅を部分的に変えたりすると、スラブの横方向への位置ズレを防ぐことができる。
【００１６】
このセンサ２に連なるリード線２ａは、凹部５Ａの天井面と、この天井面に当接するスラブ６Ａの上面との間を引き回されて、パッド１の一方の側面にまで達している。リード線２ａの末端にコネクタ端子２ｂが設けられており、この端子２ｂがパッドの側面に露出配置されている。
【００１７】
この着座センサ付き座席にあっては、センサ２がパッド１の内部に配置されているため、該センサ２の上方のパッド１上面に腰をかけても、異物感は全く感じられない。また、このセンサ２を覆うためのスラブやラミネートをパッド１上面に施すことが不要であり、この着座センサ付き座席の製造が容易であると共に、製造コストも極めて低いものとなる。さらに、センサ２に連なるリード線２ａがパッド１の底面に全く露出していないので、パッド１の取り付け等の際にリード線２ａが邪魔になることがない。ただし、リード線２ａの末端が若干パッドから延出し、少しだけリード線がパッド外部に露出していてもよい。
【００１８】
図２は本発明の別の実施の形態に係る着座センサ付き座席を説明する図面であり、（ａ）図は座席の前後方向の断面図、（ｂ）図は（ａ）図のＢ−Ｂ線に沿う断面図、（ｃ）図は座席の底面図である。
【００１９】
この実施の形態にあっては、パッド１の底面に、上方に向う凹部５Ｂが設けられている。この凹部５Ｂは、パッド１の前後左右の中央付近から後方に向って延在しており、この凹部５Ｂはパッド１の後面に臨んでいる。この凹部５Ｂの天井面部分にセンサ２が設けられている。この凹部５Ｂにパッド１と同材質の軟質材料よりなるスラブ（モールドされた軟質ウレタンフォームであっても良い。）６Ｂが充填されている。なお、センサ２はこの凹部５Ｂの天井面部分に接合されていても良く、スラブ６Ｂの上面に接合されていても良い。
【００２０】
この実施の形態にあっても、図１と同様に、凹部５Ｂは下端側が窄まる形状となっており、この凹部５Ｂに挿入されたスラブ６Ｂが凹部５Ｂ内に保持され、該凹部５Ｂから脱落しないよう構成されている。なお、図８，９のように本体部と嵌合する様に突起やへこみをつけたり、あるいは図１０，１１のように凹部の幅を部分的に変えたりすると、スラブの前後方向への位置ズレを防ぐことができる。
【００２１】
このセンサ２に連なるリード線２ａは、凹部５Ｂの天井面と、この天井面に当接するスラブ６Ｂの上面との間を引き回されて、パッド１の後面にまで引き回されている。リード線２ａの末端にコネクタ端子２ｂが設けられており、このコネクタ端子２ｂがパッド１の後面に露出配置されている。
【００２２】
この着座センサ付き座席にあっても、センサ２がパッド１の内部に配置されているため、該センサ２の上方のパッド１上面に腰をかけても、異物感は全く感じられない。また、このセンサ２を覆うためのスラブやラミネートをパッド１上面に施すことが不要であり、この着座センサ付き座席の製造が容易であると共に、製造コストも極めて低いものとなる。さらに、センサ２に連なるリード線２ａがパッド１の底面に全く露出していないので、パッド１の取り付け等の際にリード線２ａが邪魔になることがない。ただし、リード線２ａの末端が若干パッドから延出し、少しだけリード線がパッド外部に露出していてもよい。
【００２３】
上記実施の形態は本発明の一例であり、本発明は上記実施の形態に限定されない。例えば、上記実施の形態では、凹部は下端側が窄まる形状となっており、この凹部に挿入されたスラブが凹部から脱落しないように構成されているが、凹部として、入口に突起を設け、スラブの下端周縁部を該突起に係止させることによりスラブの脱落を防止するように構成されてもよい。また、凹部よりも若干大きめのスラブを用い、該スラブが凹部に弾性的に縮小した状態にて押し込まれることにより、該スラブの脱落が防止されるよう構成されてもよい。また、マジックファスナー（登録商標）などの平面ファスナを設けることにより、脱落ならびに横方向の位置ズレを規制することができる。
【００２４】
上記実施の形態ではパッドに設けられた凹部にパッドと同材質の軟質材料よりなるスラブを充填したが、異材質のスラブを充填してもよい。これにより、座席のクッション特性等を任意に変更することができる。
【００２５】
上記実施の形態では凹部付きのパッドとスラブとを別々に成形しているが、凹部を埋めた形状のパッド素体を成形し、このパッド素体から凹部に相当する部分を切り取って凹部を形成すると共に、該切り取り片をスラブとしてもよい。
【００２６】
上記実施の形態ではスラブは１個であるが、２個以上に分割されていてもよい。
【００２７】
上記実施の形態ではリード線は凹部の天井面とスラブの上面との間を引き回されているが、凹部の側面と該側面に当接するスラブの側面との間を引き回されてもよい。
【図面の簡単な説明】
【００２８】
【図１】実施の形態に係る着座センサ付き座席を説明する図面である。
【図２】別の実施の形態に係る着座センサ付き座席を説明する図面である。
【図３】従来例を示す断面図である。
【図４】別の実施の形態に係る着座センサ付き座席の底面図である。
【図５】別の実施の形態に係る着座センサ付き座席の底面図である。
【図６】別の実施の形態に係る着座センサ付き座席の底面図である。
【図７】別の実施の形態に係る着座センサ付き座席の底面図である。
【図８】別の実施の形態に係る着座センサ付き座席の底面図である。
【図９】別の実施の形態に係る着座センサ付き座席の底面図である。
【図１０】別の実施の形態に係る着座センサ付き座席の底面図である。
【図１１】別の実施の形態に係る着座センサ付き座席の底面図である。
【符号の説明】
【００２９】
１  パッド
２  センサ
２ａ  リード線
２ｂ  端子
５，５Ａ，５Ｂ  凹部
６，６Ａ，６Ｂ  スラブ  
【図１】
2005059646.tif 000003
【図２】
2005059646.tif 000004
【図３】
2005059646.tif 000005
【図４】
2005059646.tif 000006
【図５】
2005059646.tif 000007
【図６】
2005059646.tif 000008
【図７】
2005059646.tif 000009
【図８】
2005059646.tif 000010
【図９】
2005059646.tif 000011
【図１０】
2005059646.tif 000012
【図１１】
2005059646.tif 000013